(57)【要約】      （修正有）【課題】施肥又は追肥に要する作業を単純化して、これまで行っていた穴を開け穴堀り作業、そこに定量の施肥又は追肥を投入する作業及び投入さた肥料に土を被せる作業を一回工程で行える定量追肥ショベルスコップを提供する。【解決手段】柄部１とこの柄部の下部に形成された掬部２とからなるショベルスコップと、前記ショベルスコップ下部の背部に固定された定量追肥容器４と、前記定量追肥容器の上部と作業員保持用の肥料貯留容器下部とを連通せしめてなる肥料移送管６と、前記定量追肥容器を貫通し、上部可動開閉弁板と下部可動開閉弁板の下辺に固定した回動軸と、定量追肥容器の外周部に設け、前記回動軸の軸端に設けた作動レバー１２と、前記作動レバーに軸支した牽引杆１３と、からなり、前記牽引杆を牽引することにより、上部可動開閉弁板７と下部可動開閉弁板８は、直角方向に交互に開閉するようにした。【選択図】図１
0003143993.tif 000002
【実用新案登録請求の範囲】
【請求項１】
柄部とこの柄部の下部に形成された掬部とからなるショベルスコップと、前記ショベルスコップ下部の背部に固定された定量追肥容器と、前記定量追肥容器の上部と作業員保持用の肥料貯留容器下部とを連通せしめてなる肥料移送管と、前記定量追肥容器内の上部び下部にそぞれ形成された上部可動開閉弁板と下部可動開閉弁板とを交互に開閉し得る牽引杆と、からなることを特徴とする定量追肥ショベルスコップ装置。
【請求項２】
柄部とこの柄部の下部に形成された掬部とからなるショベルスコップと、前記ショベルスコップ下部の背部に固定された定量追肥容器と、前記定量追肥容器の上部と作業員保持用の肥料貯留容器下部とを連通せしめてなる肥料移送管と、前記定量追肥容器を貫通し、上部可動開閉弁板と下部可動開閉弁板の下辺に固定した回動軸と、定量追肥容器の外周部に設け、前記回動軸の軸端に設けた作動レバーと、前記作動レバーに軸支した牽引杆と、からなり、前記牽引杆を牽引することにより、上部可動開閉弁板と下部可動開閉弁板は、直角方向に交互に開閉するようにしたことを特徴とする定量追肥ショベルスコップ装置。
【請求項３】
牽引杆は、その上方牽引杆ハンドルをショベルスコップの握部の下方部に位置させた請求項１又は２記載の定量追肥ショベルスコップ装置。
【請求項４】
定量追肥容器は円筒状である請求項１、２又は３記載の定量追肥ショベルスコップ装置。
【請求項５】
肥料入れ容器は背負い型リュック型式である請求項１、２、３又は４記載の前記１記載の定量追肥ショベルスコップ装置。
【考案の詳細な説明】
【技術分野】
【０００１】この考案は、一定量の肥料の施肥又は追肥の作業を穴彫り作業と同時の一回作業でで行う行うことのできる定量追肥ショベルスコップ装置に関する。
【背景技術】
【０００２】従来の施肥又は追肥には、果樹園や、畑等の土壌にをまずショベルスコップにて所定位置に穴を開け穴堀り作業、一旦掘り出した土をを穴堀り付近に盛り上げる作業、穴に対して定量の肥料を投入する作業、一旦穴堀り付近に盛り上げ土を肥料の上に戻す作業等の４回の煩雑な作業を行っていた。
このような施肥又は追肥の作業は、作業をする者の疲労や、気象状態の変化を考えればできる限り短時間で達成することが望ましい。【０００３】果樹園や、畑等の土壌に所定位置に穴を掘るショベルスコップスコップのようなものは各種に出願されている。（例えば、特許文献１）【０００４】また、肥料、農薬、種子を散布するする散粒装置も各種に提供されている。（例えば、特許文献２）【０００５】
【特許文献１】特開２００６−２１４２２３号）
【０００６】
【特許文献２】特開平８−１０３２００号
【考案の開示】
【考案の解決しようとする課題】
【０００７】この考案は、上記のような肥料を土壌に穴を掘るショベルスコップスコップのような農具はある。又、肥料を散布するする散粒装置がある。これらの道具は、個々には提供されてはいるが、このような器具又は装置によって以下のような作業を果樹園や、畑等の土壌にをまずショベルスコップにて所定位置に穴を開け穴堀り作業、一旦掘り出した土をを穴堀り付近に盛り上げる作業、穴に対して定量の肥料を投入する作業、一旦穴堀り付近に盛り上げ土を肥料の上に戻す作業等の４回の煩雑な作業を行うことは非常に煩雑で、且つ長時間の作業となる。
【０００６】従って、本考案の目的とするところは、上記のような４回にわたる工程を一挙に単純化して、これまで行っていた穴を開け穴堀り作業、そこに定量の施肥又は追肥を投入する作業及び投入さた肥料に土を被せる作業を一回工程で行えるようにしたものである。
【課題を解決するための手段】
【０００７】本考案は、上記の問題点に鑑み、柄部とこの柄部の下部に形成された掬部とからなるショベルスコップと、  前記ショベルスコップ下部の背部に固定された定量追肥容器と、前記定量追肥容器の上部と作業員保持用の肥料貯留容器下部とを連通せしめてなる肥料移送管と、前記定量追肥容器内の上部び下部にそぞれ形成された上部可動開閉弁板と下部可動開閉弁板とを交互に開閉し得る牽引杆とからなる。
【０００８】更に、柄部とこの柄部の下部に形成された掬部とからなるショベルスコップと、  前記ショベルスコップ下部の背部に固定された定量追肥容器と、前記定量追肥容器の上部と作業員保持用の肥料貯留容器下部とを連通せしめてなる肥料移送管と、前記定量追肥容器を貫通し、上部可動開閉弁板と下部可動開閉弁板の下辺に固定した回動軸と、定量追肥容器の外周部に設け、前記回動軸の軸端に設けた作動レバーと、前記作動レバーに軸支した牽引杆と、からなり前記牽引杆を牽引することにより、上部可動開閉弁板と下部可動開閉弁板は、直角方向に交互に開閉するようにした。
【０００９】さらにまた、牽引杆は、その上方牽引杆ハンドルをショベルスコップの握部の下方部に位置させてある。
【００１０】また、定量追肥容器は円筒状とした。
【００１１】しかも又、肥料入れ容器は背負い型リュック型式としてあるものである。
【考案の効果】
【００１２】この考案の定量追肥ショベルスコップ装置では、まず穴開け作業は、シュベルを土壌にショベルスコップを突き刺す作業、一旦突き刺したショベルスコップ前方方向に押動する作業によって、土壌にＶ字状の間隙を作り、該Ｖ字状の間隙にこのショベルスコップに付設した牽引杆を牽引することによって一定量の肥料を施肥又は追肥を行った後、前方方向に押動したショベルスコップをそのまま抜きさることによって、前に無理押しされた土壌は押動の反作用として後方動することになり、施肥又は追肥された肥料を土壌が被さることになり、前記の穴堀り、肥料を施肥又は追肥作業を一回操作で短時間で行うことのできる定量肥料追肥ショベルスコップとしたものである。
【考案を実施するための最良の形態】
【００１３】この考案の定量追肥ショベルスコップ装置は、柄部とこの柄部の下部に形成された掬部とからなるショベルスコップと、前記ショベルスコップ下部の背部に固定された定量追肥容器と、前記定量追肥容器の上部は肥料移送管を介して連通せしめてなる作業員保持用肥料入れ容器下部と、前記ショベルスコップの上部握部に連動する操作杆に牽引によって交互に開閉するようにした前記定量追肥容器の上部び下部にそぞれ形成された上部可動開閉弁板と下部可動開閉弁板とからなる。
【実施例１】
【００１４】この考案の金属製、木製、又は硬質プラスチック製の柄部１とこの柄部の下端部に形成された略三角状の金属製掬部２とからなるショベルスコップａであって、このショベルスコップの柄部の上端部には握部３が形成されている。このショベルスコップ下方部の背部に固定された定量追肥筒状容器４と、前記定量追肥筒状容器４の上部とは作業員用の背負い用の肥料貯留容器５の内部下部と蛇腹型の可撓姓の肥料移送管６を介して連通せしめてあるものである。【００１５】この肥料貯留容器５に収納してある肥料１９は、主に、粒状又は固形状又は粉体状の肥料に適している。【００１６】前記の定量追肥筒状容器４の内部には上方及び下部にそれぞれ一個の円板状の可動開閉弁板７、８が設けてある。【００１７】二個の可動開閉弁板７、８の外径は、前記の定量追肥筒状容器４の内径にほぼ等しく形成してある。更に、可動開閉弁板７、８の裏面は、定量追肥筒状容器４は貫通する回動軸９、１０にそれぞれ固定されると共に、この回動軸９、１０の両端部は定量追肥筒状容器４の外周部で回動可能に回動自在に軸支１１され、且つこの回動軸９、１０の片側は斜方向に設けられた作動レバー１２を介してそれぞれ牽引杆１３に軸支１４されている。牽引杆１３の上方部はショベルスコップａの握部３のやや下方部に牽引杆ハンドル１５が形成されている。【００１８】前記の回動軸９、１０は、９０度方向に回動するようにしてあり、且つ回動軸９、１０が固定してある上部可動開閉弁板７と下部可動開閉弁板８とは、それぞれ内部前記ショベルスコップａの上部握部に連動する操作牽引杆１３の牽引によって開閉と閉鎖が交互に行われるようにしてある。即ち、上部可動開閉弁板７が閉鎖するときは、下部可動開閉弁板８は開放し、逆に上部可動開閉弁板７が開放するときは、下部可動開閉弁板８は閉鎖するように形成してある。【００１９】この定量追肥筒状容器４と、可動開閉弁板７、８と、回動軸１０、１１と、作動レバー１２と、牽引杆１３とは以下のような関係に構成してあるものである。
即ち、牽引杆１３を牽引すれば、上方可動開閉弁板７と下方可動開閉弁板８とは、下方可動開閉弁８が開放状態にあるときは上方可動開閉弁板７は閉鎖状態となるように設けられている。【００２０】肥料貯留容器５に蓄えられた肥料１９は、肥料移送管６により定量追肥筒状容器４に定常的に移送されている。即ち、定量追肥筒状容器４の上部可動開閉弁板７が開放している場合には定量追肥筒状容器４の内部には肥料１９が定量が蓄えられている。牽引杆１３が引かれ下部可動開閉弁板８が開放されると同時に上部可動開閉弁板７が閉鎖することによって肥料貯留容５から定量追肥筒状容器４への肥料の供給が停止される。【００２１】上記のように、ショベルスコップの上部握部に連動する牽引杆１３の引によって交互に開閉するようにしてあるので、定量追肥筒状容器４の内部の上方の可動開閉弁板７と、下方の可動開閉弁板８との間にある肥料の分量は、定量肥料分ｃであり、且つ下方の可動開閉弁板８を開放した場合には、定量の肥料ｃのみが追肥筒状容器４下部より排出されることになる。そして、この状態では、定量肥料分ｃが排出される状態では、追肥筒状容器の内部の上方の可動開閉弁板７が閉鎖されることになるため、肥料貯留容器下部と肥料移送管から定量追肥筒状容器４への肥料の供給がストップされることになる。【００２２】作業員用の背負い用の肥料貯留容器５は、施肥又は追肥作業に便利なように背負うのに便利なように肩掛け紐１６を設けたリユック型式としてある。肥料貯留容器５の内部に入れる肥料は粒状又は粉状であって、その内底部１７は肥料の流れを円滑にするべく肥料移送管６の上方との連結部方向に斜め方向に下降形状としてある。【００２３】施肥又は追肥作業者は、図４に示すように肥料貯留容器５をリュック型式に背負い、施肥又は追肥をした位置の土壌２０ににショベルスコップの三角状の金属製掬部２を突き刺す。三角状の金属製掬部２が所望の深さまで図６（イ）に示すように、突き刺した後、そのままの状態で金属製掬部２及び柄部１を前方に図６（ロ）の状態となるように倒すと、前方動した土壌２０にＶ字状の間隙部１８が形成される。この状態では、土壌１７にＶ字状の間隙部１８の上方には追肥筒状容器４が位置しているから、牽引杆１３を引けば、定量追肥筒状容器４の下部可動開閉部８が開放状態となると同時に上部可動開閉部７は閉鎖状態となり、従って、この時に追肥筒状容器４内にあった粉状又は粒状の肥料１９はＶ字状の間隙部１８に投入されることになる。投入後は、図６（ハ）のように、ショベルスコップａを土壌１７から抜くとショベルスコップａの前方動で無理押しされていた土壌２０が原状に復帰するように働き肥料１９のほとんどが土壌２０に閉じ込められる状態となる。図６（イ）、図６（ロ）、図６（ハ）の動作は極めて短時間に達成されるため、これらの作業は、疲労はほとんど覚えない程度である。
【図面の簡単な説明】
【００２４】
【図１】一部を省略したショベルスコップに備えられた定量追肥ショベルスコップ装置の斜視図である。
【図２】定量追肥筒状容器の拡大断面図
【図３】定量追肥筒状容器の断面図
【図４】作業の状態を示す斜視図
【図５】リユック型式の肥料貯留容器の背部からの斜視図
【図６】〔図６（イ）〕ショベルスコップの掬部を土壌に突き刺した状態を示す断面図  〔図６（ロ）〕ショベルスコップの掬部を土壌に突き刺し、前方に押動してできたＶ字型間隙肥料を投入する状態を示す断面図  〔図６（ハ）〕肥料投入後にショベルスコップの掬部を土壌より抜き去った状態を示す断面図
【符号の説明】
１．．．  柄部
２．．．  掬部
３．．．  握部
４．．．  定量追肥筒状容器
５．．．  肥料貯留容器
６．．．  肥料移送管
７．．．  上部可動開閉弁板
８．．．  下部可動開閉弁板
９．．．  回動軸
１０．．  回動軸
１１．．  軸支
１２．．  作動レバー
１３．．  牽引杆
１４．．  軸支
１５．．  牽引杆ハンドル
１６．．  肩掛け紐
１７．．  内底部
１８．．  Ｖ字型間隙
１９．．  肥料
２０．．  土壌
ａ  ．．  ショベルスコップ
ｃ  ．．  定量肥料分
【図１】
0003143993.tif 000003
【図２】
0003143993.tif 000004
【図３】
0003143993.tif 000005
【図４】
0003143993.tif 000006
【図５】
0003143993.tif 000007
【図６】
0003143993.tif 000008